(57)【要約】      （修正有）【課題】弁当を正常な姿勢の状態で多数個を同時に目的地に移動することができる弁当搬送車を提供する。【解決手段】枠体５を有する移動自在の搬送車１と、一側面が開放された袋からなる収納体７とからなり、上記収納体に多数の仕切布８が設けられ、上記収納体が上記枠体に吊下されてなる。弁当を入れた容器を吊下式とした収納体７の各仕切区画内に収納した状態で移動するから、移動時に生じる振動は収納体が吊下げバー１４を軸にして振り子状にａ方向に揺れ又は吊下げバーの長手方向に沿って摺動することにより減衰・吸収されるので、振動が収納体内の弁当乃至弁当容器に伝播されず、姿勢安定性が保持されるため、弁当の偏在や積層状態の崩壊、落下等を防止する。【選択図】図２
0003147352.tif 000002
【実用新案登録請求の範囲】
【請求項１】
枠体を有する移動自在の搬送車と、一側面が開放された袋からなる収納体とからなり、上記収納体に多数の仕切布が設けられ、上記収納体が上記枠体に吊下されることを特徴とする弁当搬送車。
【請求項２】
上記仕切布が水平方向に設けられることを特徴とする請求項１記載の弁当搬送車。
【請求項３】
上記仕切布が垂直方向に設けられることを特徴とする請求項１記載の弁当搬送車。
【請求項４】
上記収納体の開放される一側面が搬送車の進行方向に対し前面であることを特徴とする請求項１乃至請求項３のいずれか記載の弁当搬送車。
【請求項５】
上記収納体の開放される一側面が搬送車の進行方向に対し外側面であることを特徴とする請求項１乃至請求項３のいずれか記載の弁当搬送車。
【請求項６】
上記収納体の開放される面にカバーを設けることを特徴とする請求項１記載の弁当搬送車。
【請求項７】
上記仕切布が上記収納体に着脱自在であることを特徴とする請求項１記載の弁当搬送車。
【請求項８】
上記収納体が上記枠体に着脱自在であることを特徴とする請求項１記載の弁当搬送車。
【請求項９】
上記収納体が複数であることを特徴とする請求項１記載の弁当搬送車。
【請求項１０】
上記収納体が折畳自在であることを特徴とする請求項１記載の弁当搬送車。
【考案の詳細な説明】
【技術分野】
【０００１】
本願考案は弁当の運搬をする弁当搬送車に関する。
【背景技術】
【０００２】
従来弁当の運搬は、例えば弁当を容器に入れた状態で台車に多数積層することにより多数個の弁当を同時に目的地に移動していた。
【０００３】
しかしながら、このような形態での運搬であると、移動時に生じる振動により弁当容器の積層状態が崩れたり中身が偏在したりする欠点があった。とくに段差などの路面状態によっては台車が傾き、容器が弁当を入れた状態で荷崩れし商品価値がなくなるおそれがあった。
【０００４】
このような事故を防止すべく台車に容器自体を固定することが考えられるが、このようにすると容器ひいては中身たる弁当に振動がより顕著に伝播し易くなり、かえって逆効果である。
【０００５】
【特許文献１】特開平１１−１９３０３４号公報
【考案の開示】
【考案が解決しようとする課題】
【０００６】
本願考案は上記背景に鑑み、弁当を正常な姿勢の状態で多数個を同時に目的地に移動することを目的とする。
【課題を解決するための手段】
【０００７】
上記目的達成のため、本願考案による弁当搬送車は、枠体を有する移動自在の搬送車と、一側面が開放された袋からなる収納体とからなり、上記収納体に多数の仕切布が設けられ、上記収納体が上記枠体に吊下されることを特徴とする。
また、請求項１記載の弁当搬送車において、上記仕切布が水平方向に設けられることを特徴とする。
また、請求項１記載の弁当搬送車において、上記仕切布が垂直方向に設けられることを特徴とする。
また、請求項１乃至請求項３のいずれか記載の弁当搬送車において、上記収納体の開放される一側面が搬送車の進行方向に対し前面であることを特徴とする。
また、請求項１乃至請求項３のいずれか記載の弁当搬送車において、上記収納体の開放される一側面が搬送車の進行方向に対し外側面であることを特徴とする。
また、請求項１記載の弁当搬送車において、上記収納体の開放される面にカバーを設けることを特徴とする。
また、請求項１記載の弁当搬送車において、上記仕切布が上記収納体に着脱自在であることを特徴とする。
また、請求項１記載の弁当搬送車において、上記収納体が上記枠体に着脱自在であることを特徴とする。
また、請求項１記載の弁当搬送車において、上記収納体が複数であることを特徴とする。
また、請求項１記載の弁当搬送車において、上記収納体が折畳自在であることを特徴とする。
【考案の効果】
【０００８】
本願考案による弁当搬送車によれば、弁当を入れた容器を吊下式とした収納体の各仕切区画内に収納した状態で移動するから、移動時に生じる振動は収納体が吊下げバーを軸にして振り子状に揺れ又は吊下げバーの長手方向に沿って摺動することにより減衰・吸収されるので、振動が収納体内の弁当乃至弁当容器に伝播されない。よって弁当乃至弁当容器の姿勢安定性が保持されるため、弁当の偏在や積層状態の崩壊、落下等を防止し、弁当を正常な姿勢の状態で多数個を同時に目的地に移動することができる。
【考案を実施するための最良の形態】
【０００９】
次に、実施の形態を示す図面に基づき本願考案による弁当搬送車をさらに詳しく説明する。なお、便宜上同一の機能を奏する部分には同一の符号を付してその説明を省略する。
【００１０】
１は移動自在の搬送車であり、底面２を有し、該底面２の下部にキャスタ３を設け、さらに上部に枠体５を設けてなる。７は上記枠体５に取り付けられる布等の柔軟性素材からなる袋状の収納体である。該収納体７は進行方向に対し前面７ａを開放するとともに、他の５面を閉塞してなり、折畳自在の蛇腹状に形成される。上記収納体７は、布等の柔軟性素材からなる仕切布８を図３に示すように水平方向に多段に設け、各段の仕切布８、左右の側面７ｂ及び背面７ｃにより多数の空間を区画形成し、個々の空間にて弁当（図示省略）を収納する弁当収納室１１を形成してなる。上記収納体は取付けバー１４により上記枠体５に吊下された状態で本例の場合２個取り付けられる。即ち、上記収納体７は、最上部の区画の前後面に取付け孔９を設け、該取付け孔９に取付けバー１４を上記枠体５の嵌合孔（図示省略）まで回動自在かつ摺動自在に挿入することにより取り付けられる。開放面たる前面７ａは弁当の出入口１２となる。７ｄは上記収納体７の天井面である。
【００１１】
１５は上記収納体７を折り畳む時に用いるバンド１６を固定するための孔、１７は弁当販売時に使用するパラソルを固定するための孔である。
【００１２】
上記実施の形態によれば、上記枠体５に吊下された上記収納体７の個々の弁当収納室１１に容器に入れた弁当（図示省略）を収納して矢示方向に移動するから、移動時に生じる振動は収納体７が収納体が取付けバー１４を軸にして矢印ａ方向に振り子状に揺れ、又は取付けバー１４の長手方向に沿って矢印ｂ方向に摺動することにより、減衰、吸収されるので、振動が収納体内の弁当乃至弁当容器に伝播されない。よって弁当乃至弁当容器の姿勢安定性が保持されるため、弁当の偏在や積層状態の崩壊、落下等を防止し、弁当を正常な姿勢の状態で多数個を同時に目的地に移動することができる。
【００１３】
また運搬終了後空車になったときは、図４に示すように収納体７を折り畳み、別に用意するバンド１６によりバンド孔１５に固定することができ、このようにすれば空車時の移動を迅速に行なうことができる。尚、弁当販売時には、パラソル孔１７にパラソルを差込むことにより日陰を形成することができる。
【００１４】
さらに上記取付けバー１４を取り外すことにより上記収納体７を上記枠体５から取り外すことができるから、袋の破損等により収納体７を修理交換する場合に好適である。
【００１５】
本願考案は上記した実施の形態に限定されない。例えば、図５は収納体７を搬送車１の前後左右に４個取り付ける他の実施の形態を示す。この場合、上記弁当収納室１１の出入口１２は、弁当の出入れを容易とするため、搬送車１の進行方向の外側面７ｂに設け、さらに、上記出入口１２に開閉自在のカバー（図示省略）を設けるのが望ましい。このようにすれば、収納体７に設ける取付け孔９は図５に示すように搬送車１の矢示進行方向に対し直交する面７ｂになるので、収納体７が振動により振り子状に矢印ａ方向に揺れたとき弁当が不測に飛出すのを防止することができる。なお、開閉自在のカバー（図示省略）は、図１の如き搬送車１の進行方向の前面に上記出入口１２を設ける場合であっても設けることができる。
【００１６】
上記収納体７の個数は任意であり、単一でも使用可能であるが、上記実施の形態のように複数個として用いれば大量の弁当を一挙に移動することができるから、迅速性の観点から望ましい。
【００１７】
上記収納体７及び上記仕切布８の構成素材は柔軟性素材であれば足り、例えば合成繊維からなる布であってもよく、さらに織成されている必要はない。
【００１８】
上記仕切布８は上記収納体７に着脱自在に取り付け、上記仕切布８の棚高を自在に変更することができる。この場合は上記仕切布８の取付面及び上記収納体７の内面に例えばフック状部材とパイル状部材を着脱可能に噛合させてなるテープなどを取り付ける。前記実施の形態のように上記仕切布８を上記収納体７に固着した場合は、比較的大重量に耐え得るので、各仕切布８に弁当を２〜３個程度積層するのに好適である。しかし、例えば弁当容器が逆円錐台のように異形であったり、弁当の中身が一部蓋から喰み出しているような場合は弁当収納室１１を個々の弁当乃至弁当容器の状態に応じて区画する必要があり、このような場合には上記仕切布８を上記収納体７に着脱自在に取り付ける方が好適である。
【００１９】
また例えば弁当が縦長の容器を用いる場合に備え、図６に示すように、上記収納体７に上記仕切布８を垂直方向に貼設することもできる。図６の場合は、必要により水平方向に他の仕切布８ａを各仕切り毎に区々に設けることもできる。このようにすれば、仕切布８ａの水平方向の列数を自在に変更することができる。
【００２０】
上記収納体７の上記枠体５への取付けの態様は任意であり、例えば図７に示すように両側面に係止片１８を設け、該係止片１８に設けた取付け孔９に上記取付けバー１４を挿入することとしてもよい。
【００２１】
また弁当収納室１１の大きさは必ずしも全て同一にする必要はない。例えば図７に示すように上記収納体７の下部の棚高を大に仕切ることができる。
【産業上の利用可能性】
【００２２】
本願考案は弁当の運搬に活用することができる。
【図面の簡単な説明】
【００２３】
【図１】本願考案による弁当搬送車の実施の形態を示す正面図である。
【図２】図１の左側面図である。
【図３】図１の収納体の斜視図である。
【図４】図１の収納体を折畳んだ状態の正面図である。
【図５】本願考案による弁当搬送車の他の実施の形態を示す斜視図である。
【図６】収納体の他の実施例を示す正面図である。
【図７】収納体のさらに他の実施例を示す斜視図である。
【符号の説明】
【００２４】
１      搬送車
２      底面
３      キャスタ
５      枠体
７      収納体
７ａ    前面
７ｂ    側面
７ｃ    背面
７ｄ    天井面
８      仕切布
８ａ    仕切布
９      取付け孔
１１    弁当収納室
１２    出入口
１４    取付けバー
１５    バンド孔
１６    バンド  
１７    パラソル孔
１８    係止片
【図１】
0003147352.tif 000003
【図２】
0003147352.tif 000004
【図３】
0003147352.tif 000005
【図４】
0003147352.tif 000006
【図５】
0003147352.tif 000007
【図６】
0003147352.tif 000008
【図７】
0003147352.tif 000009